(57)【要約】【課題】座った状態で、体重に圧迫されて起こるお尻と腰の痛みや痺れを解消し、或いは洋式便器便座に適用すると排便、排尿を促す低コストのエアー座布団を提供する。【解決手段】２つの空気袋をお尻が当たる位置に配置し、該空気袋は１本の通気管で接続し、該通気管は２個の逆止弁を直列に且つ各々流れの向きが逆向きとなるように配列し、該逆止弁は外側から潰すような力を掛けると弁が開いて空気が流通し、力を掛けないと逆止弁に復帰する可撓性を有する材質及び構造からなる。【選択図】図１
0003106236.tif 000002
【実用新案登録請求の範囲】
【請求項１】
左右方向に２つの空気袋を併置し、各空気袋を１本の通気管にて連通してなるエアー座布団において、該通気管には２個の逆止弁を流れの向きが互いに逆向きとなるように直列に組み込んだことを特徴とする空気ポンプ式座布団。
【請求項２】
逆止弁は外側から潰すような力を掛けると弁が開いて空気が流通し、力を掛けないと逆止弁に復帰する可撓性を有する材質及び構造からなる請求項１記載の空気ポンプ式座布団。
【請求項３】
椅子の座部に組み込んだことを特徴とする請求項１乃至２に記載の空気ポンプ式座布団。
【請求項４】
洋式便器便座のお尻の当たる位置に固定して成ることを特徴とする請求項１乃至２に記載の空気ポンプ式座布団。
【請求項５】
空気袋の内外周の溶着シール部に洋式便器便座に固定するためのタグを設けたことを特徴とする請求項４に記載の空気ポンプ式座布団。
【考案の詳細な説明】
【考案の詳細な説明】
【技術分野】
【０００１】  この考案は、空気ポンプ式座布団、該座布団を備えた洋式便器の便座或いは該座布団を備えた椅子に関し、詳しくは長時間の座り姿勢によるお尻や腰の痺れや痛みを解消する技術と洋式便器便座に座った時の排便及び排尿を促進する技術に関するものである。
【背景技術】
【０００２】  従来の技術としては、第一に図６に示す２つの空気袋１，２を左右のお尻の当たる位置に配置してこれらを２本の接続パイプ２０，２１で接続し、各接続パイプの内部には逆止弁７，２３とストップ弁５，１５を直列に設け、該逆止弁は流れる方向が互いに逆向きになるように配置してポンプ機能を持たせ、該空気袋には空気注入排出孔２５，２６を設けるという特願２００２−２０６２５８「座布団或いは椅子のクッション構造」がある。【０００３】  第二に図７に示すように、左右方向に少なくとも２つ以上の空気室１，２を併置し、各空気室１，２を狭くした連通部５にて連通する。この構成により、座り姿勢の変化に応じて狭くした連通部５より空気室１，２間を空気が移動することができ、姿勢の変化を容易に行うことができる。姿勢の変化後においては連通している空気室１，２内の空気圧がバランスして安定的に体重を支持できるという特開２００２−２７２５６３「エアー座布団及びエアー座布団を備えた椅子」がある。
【考案が解決しようとする課題】
【０００４】  これには次のような欠点があった。特願２００２−２０６２５８「座布団或いは椅子のクッション構造」においては、空気流通の接続パイプが２本必要なことと、ストップ弁も２個必要となり構造が複雑でコストアップの原因となる。
【０００５】  特開２００２−２７２５６３「エアー座布団及びエアー座布団を備えた椅子」においては、連通部が常時開放しているため座り状態に応じて空気が空気室間を常に移動し、お尻が常に座布団に密着した状態であり、体重によって圧迫されて起こる血行不良によるお尻の痛さ、腰の痺れを解消することはできないと考えられる。又洋式便器便座に適用することの記載は無い。
【課題を解決するための手段】
【０００６】  ２つの空気袋をお尻の当たる位置に配置し、該空気袋は１本の通気管で接続し、該通気管は２個の逆止弁を直列に且つ各々の流れの向きが逆向きとなるように配列し、該逆止弁は外側から潰すような力を掛けると弁が開いて空気が流通し、力を掛けないと逆止弁に復帰する可撓性を有する材質及び構造からなる。
【考案を実施するための最良の形態】
【０００７】  以下、本考案の実施例について図１乃至図５で説明する。空気ポンプ式座布団は塩化ビニル樹脂又はウレタン樹脂製の２枚のシート又はこのシートに布張りしたシートであって、お尻が乗る位置に２つの空気袋を形成するように溶着シール部において溶着し、空気袋１には逆止弁３、空気袋２には逆止弁４を設け、この間を通気管５で接続する。逆止弁３及び４は流れる方向が互いに逆向きになるように配置する。更に空気袋１には給排気弁７、空気袋２には給排気弁８を設ける。６は該空気袋の溶着シール部である。【０００８】  また洋式便器においては図３乃至図５に示すように便座１１に固定するため空気袋の内外周の溶着シール部にタグ９を設けゴムひも１０で便器１２に取り付けられた便座１１に固定する。【０００９】  該逆止弁、通気管及び給排気弁は塩化ビニル樹脂又はウレタン樹脂製であり、該逆止弁及び給排気弁は、例えば浮き輪の空気吹き込み口部材のように逆止弁を備え、逆止弁を容易に開放可能に構成した周知のものである。【００１０】  本考案は以上のような構造で、これを使用するときは図３に示すように、給排気弁７及び８から空気袋１及び２に満杯より少なく空気を吹き込む。【００１１】  空気袋１及び２に臀部を合わせて座り、通気管の両端に設けられた逆止弁のうち任意の逆止弁４を指で圧迫して開放し、左右のお尻に交互に体重を掛けて空気袋１及び２を押すことを繰り返すと、逆止弁３のポンプ作用によって空気が空気袋２から空気袋１へ移動し、空気袋２は萎んで空気袋１は膨らむ。この結果、姿勢を保つため空気袋１側に体重を乗せて座ることになり、空気袋２側のお尻は体重の圧迫から開放される。【００１２】  次に空気を空気袋１から空気袋２へ移動するには、逆止弁３を指で圧迫して開放し、同様の動作を行えば空気袋１は収縮して空気袋２は膨張する。この結果、姿勢を保つため空気袋２側に体重を乗せて座ることになり空気袋１側のお尻は体重の圧迫から開放される。また両方の逆止弁を働かせた状態では空気袋１，２間の空気の流通は停止し、座った姿勢を安定化させることができる。
【考案の効果】
【００１３】  これには次のような効果がある。お尻で対応する２つの空気袋に交互に体重を掛ける動作を繰り返すことは、腰の運動とお尻の圧迫部のマッサージになり、膨らんだ空気袋側に体重を乗せることは、収縮した空気袋側のお尻を圧迫から解放するので、血行を促進しお尻の痛み、痺れを解消できる。また洋式便器便座に適用して同様の動作を行うことによって、上記と同様な効果を得るとともに、大腸、直腸及び膀胱などに運動を与え排便、排尿を促進する効果がある。
【００１４】  更に電源や送気ポンプが不要でコンパクトにもなるので電車、飛行機、自動車及びその他の椅子の座部に設置しても上記効果に加えて座り心地の良いクッションとしても使用できる。また電気を使用しないので省エネ的にも好ましいものである。
【図面の簡単な説明】
【００１５】
【図１】本考案の平面図と矢視図である。
【図２】本考案の断面図であって空気ポンプ式座布団の機能を説明する図面。
【図３】本考案の便器への取り付け状態を示す。
【図４】本考案の溶着シール部に設けた便座用タグの取り付け状態を示す。
【図５】本考案の便器への取り付け状態を示す断面図であって空気ポンプ式座布団の機能を説明する図面。
【図６】背景技術の特願２００２−２０６２５８の図面である。
【図７】背景技術の特開２００２−２７２５６３の図面である。
【符号の説明】
１，２          空気袋
３，４          逆止弁
５              通気管
６              溶着シール部
７，８          給排気弁
９              タグ
１０            ゴムひも
１１            便座
１２            便器
【図１】
0003106236.tif 000003
【図２】
0003106236.tif 000004
【図３】
0003106236.tif 000005
【図４】
0003106236.tif 000006
【図５】
0003106236.tif 000007
【図６】
0003106236.tif 000008
【図７】
0003106236.tif 000009